(57)【要約】【課題】被計量物を載置する載置部を交換したときに、パラメータの設定変更忘れや誤設定を防止することができる計量装置を提供すること。【解決手段】被計量物Ｗが載置される秤量コンベア３２と、秤量コンベア３２を交換可能に支持し、秤量コンベア３２と枠部材３４の重量と被計量物Ｗの重量との合計重量を計量する荷重センサ２１と、荷重センサ２１が計量した合計荷重から秤量コンベア３２と枠部材３４の重量を減算して被計量物Ｗの重量を算出する算出部２２と、を備え、秤量コンベア３２の種類を識別する識別部１９と、識別部１９の識別結果に基づいて秤量コンベア３２が交換されたことを検知する検知部１６と、検知部１６による検知結果を報知する表示部１０と、を備える。【選択図】図２
2010237019.tif 000002
【特許請求の範囲】
【請求項１】
被計量物（Ｗ）が載置される載置部（３２、３４）と、
前記載置部を交換可能に支持し、前記載置部の重量と前記載置部に載置された被計量物の重量との合計重量を計量する計量部（２１）と、
前記計量部が計量した合計荷重から前記載置部の重量を減算して前記被計量物の重量を算出する算出部（２２）と、を備えた計量装置において、
前記載置部の種類を識別する識別部（１９）と、
前記識別部の識別結果に基づいて前記載置部が交換されたことを検知する検知部（１６）と、
前記検知部による検知結果を報知する報知部（１０）と、を備えることを特徴とする計量装置。
【請求項２】
前記識別部は、前記計量部により計量された前記載置部の重量変化に基づいて前記載置部の種類を識別することを特徴とする請求項１に記載の計量装置。
【請求項３】
前記載置部の種類と重量とを対応付ける対応表を記憶する記憶部（２３）を備え、
前記識別部は、前記対応表を参照して、前記計量部により計量された前記載置部の重量から前記載置部の種類を識別することを特徴とする請求項２に記載の計量装置。
【請求項４】
前記載置部は、該載置部を識別するための識別情報（３９）を備え、
前記識別部は、前記識別情報を読取る読取部（１５）を備えたことを検知することを特徴とする請求項１に記載の計量装置。
【請求項５】
前記載置部が交換されたことを前記検知部が検知したとき、前記被計量物の計量と重量の算出を行う計量モードから、交換された前記載置部を用いて前記計量モードを実行するために必要な設定の変更を行う設定モードに動作モードを切替える動作制御部（１７）を備えたことを特徴とする請求項１から請求項４の何れかに記載の計量装置。
【請求項６】
前記被計量物の複数の品種毎にこの品種の計量に用いる前記載置部の種類を対応付けて記憶する記憶部（２３）と、
前記記憶部に記憶させる設定操作を行う操作部（１１）と、
前記識別部が識別した識別結果が、前記記憶部に前記品種毎に記憶された前記載置部の種類と一致するかを照合する照合部（１８）と、を備えたことを特徴とする請求項２から請求項５の何れかに記載の計量装置。
【発明の詳細な説明】
【技術分野】
【０００１】
本発明は、例えば、肉、魚、加工食品、医薬品などの被計量物を搬送しながら計量して被計量物の良否を判定する計量装置に関し、特に、被計量物を載置する載置部が交換可能な計量装置に関する。
【背景技術】
【０００２】
従来より食品等の生産ラインに設けられ、生産される物品、すなわち被計量物を計量する計量装置が知られており、なかでも、生産ラインの前段装置から順次搬送される被計量物を受けて、搬送しながら計量するコンベア式の計量装置が多く用いられている。このようなコンベア式の計量装置は、計量部に設けられたコンベアで搬送している被計量物の重量と、コンベア自身の合計重量とを検出し、予め判っているコンベア自身の重量を風袋値として記憶しておき、合計重量から差し引くことにより物品の重量を検出できるようになっている。通常、コンベア自身の重量は固定値であるから、物品が載置されていない状態でゼロ点を設定（ゼロリセット）するようになっている。
【０００３】
また、消費者ニーズの多様化により、特に食品メーカーにおいては、多品種の物品を効率よく生産できるように生産ラインが構築されており、計量装置に搬入される物品も単一品種ではなく多品種になりそれぞれのサイズが異なることが増えている。コンベア方式の計量装置においては、原理上、計量部に備えられたコンベア上に１つの被計量物が乗っているときに計量を行う必要があるため、効率向上のために、被計量物のサイズに合わせて、異なるサイズのコンベアの中から好適なサイズのコンベアを計量部に装着できるよう、コンベアが交換可能に構成された計量装置が知られている（例えば、特許文献１参照）。
【先行技術文献】
【特許文献】
【０００４】
【特許文献１】特許４００８４１３号公報
【発明の概要】
【発明が解決しようとする課題】
【０００５】
しかしながら、特許文献１に記載された技術では、異なるサイズのコンベアへの変更に伴って計量に関するパラメータも設定変更する必要があるにも関わらず、ユーザがパラメータの設定変更を忘れてしまう恐れがあり、誤ったパラメータで計量装置を運転してしまう恐れがあるという問題があった。すなわち、コンベアの長さ方向の寸法を変更する場合には、被計量物がコンベアに乗ってから所定の計量位置に到達するまでの搬送時間が異なってしまい計量タイミングに関するパラメータを適切な値に変更する必要が生じ、また、コンベアの幅方向の寸法を変更する場合には、搬送時間は同じだがコンベア自体の重量が変わることによって荷重センサの過渡応答特性が変わってしまうから応答時間に関するパラメータを適切な値に変更する必要が生じているにも関わらず、ユーザ（操作者）がこれらのパラメータの変更を忘れてしまうことがあった。
【０００６】
そこで、本発明は、前述のような従来の問題を解決するためになされたもので、被計量物を載置する載置部を交換したときに、パラメータの設定変更忘れや誤設定を防止することができる計量装置を提供することを目的としている。
【課題を解決するための手段】
【０００７】
本発明に係る計量装置は、被計量物が載置される載置部と、前記載置部を交換可能に支持し、前記載置部の重量と前記載置部に載置された被計量物の重量との合計重量を計量する計量部と、前記計量部が計量した合計荷重から前記載置部の重量を減算して前記被計量物の重量を算出する算出部と、を備えた計量装置において、前記載置部の種類を識別する識別部と、前記識別部の識別結果に基づいて前記載置部が交換されたことを検知する検知部と、前記検知部による検知結果を報知する報知部と、を備えることを特徴とする。
【０００８】
この構成により、識別部により載置部の識別が可能となり、識別部の識別結果に基づいて検知部により載置部が交換されたことが検知され、この旨が報知部により報知されることとなるので、載置部が交換されたことを検知して報知部によりオペレータに通報でき、パラメータの変更を確実に行わせることができる。したがって、被計量物を載置する載置部を交換したときに、パラメータの設定変更忘れや誤設定を防止することができる。
【０００９】
また、本発明に係る計量装置は、前記識別部は、前記計量部により計量された前記載置部の重量変化に基づいて前記載置部の種類を識別することを特徴とする。
【００１０】
この構成により、計量部が計量した荷重の変化によって載置部が交換されたことを検知でき、新たな構成を追加することなく、確実に載置部が交換されたことを識別できる。
【００１１】
また、本発明に係る計量装置は、前記載置部の種類と重量とを対応付ける対応表を記憶する記憶部を備え、前記識別部は、前記対応表を参照して、前記計量部により計量された前記載置部の重量から前記載置部の種類を識別することを特徴とする。
【００１２】
この構成により、載置部の荷重を載置部の種類毎に予め対応表に記憶しておき、載置部が交換されたことに加えて交換後の載置部の種類をも識別できるので、装着されている載置部に対応させて適切なパラメータを自動で設定できるようになる。
【００１３】
また、本発明に係る計量装置は、前記載置部は、該載置部を識別するための識別情報を備え、前記識別部は、前記識別情報を読取る読取部を備えたことを検知することを特徴とする。
【００１４】
この構成により、識別情報を読取って載置部の種類を識別することにより、載置部が交換されたこと、および交換後の載置部の種類をより確実に識別することができる。
【００１５】
また、本発明に係る計量装置は、前記載置部が交換されたことを前記検知部が検知したとき、前記被計量物の計量と重量の算出を行う計量モードから、交換された前記載置部を用いて前記計量モードを実行するために必要な設定の変更を行う設定モードに動作モードを切替える動作制御部を備えたことを特徴とする。
【００１６】
この構成により、載置部が交換されたときは、計量モードから設定モードに動作モードが切替わるので、交換後の載置部に適したパラメータに設定をし忘れることを防止することができる。
【００１７】
また、本発明に係る計量装置は、前記被計量物の複数の品種毎にこの品種の計量に用いる前記載置部の種類を対応付けて記憶する記憶部と、前記記憶部に記憶させる設定操作を行う操作部と、前記識別部が識別した識別結果が、前記記憶部に前記品種毎に記憶された前記載置部の種類と一致するかを照合する照合部と、を備えたことを特徴とする。
【００１８】
この構成により、被計量物の品種に応じて予め決められた載置部以外の誤った載置部を用いて検査を行ってしまうことを防止することができる。
【発明の効果】
【００１９】
本発明は、被計量物を載置する載置部を交換したときに、パラメータの設定変更忘れや誤設定を防止することができる計量装置を提供することができる。
【図面の簡単な説明】
【００２０】
【図１】本発明の第１の実施の形態に係る計量装置の外観を示す斜視図である。
【図２】本発明の第１の実施の形態に係る計量装置の内部構成を示すブロック図である。
【図３】本発明の第１の実施の形態に係る計量装置の搬送部を示す側面図である。
【図４】本発明の第１の実施の形態に係る計量装置の秤量コンベアを示す斜視図である。
【図５】本発明の第１の実施の形態に係る計量装置の秤量コンベアを示す側面図である。
【図６】（ａ）〜（ｃ）は、本発明の第１の実施の形態に係る計量装置の秤量コンベアを示す側面図であり、（ｄ）は、枠部材を示す側面図である。
【図７】（ａ）〜（ｃ）は、本発明の第１の実施の形態に係る計量装置の秤量コンベアを示す上面図であり、（ｄ）〜（ｆ）は、枠部材を示す上面図である。
【図８】本発明の第１の実施の形態に係る計量装置の秤量コンベアのサイズと重量との対応を示す図である。
【図９】本発明の第１の実施の形態に係る計量装置の動作を示すフロー図である。
【図１０】（ａ）〜（ｄ）は、本発明の第１の実施の形態に係る計量装置の計量皿を示す図である。
【図１１】本発明の第２の実施の形態に係る計量装置の外観を示す斜視図である。
【図１２】本発明の第２の実施の形態に係る計量装置の内部構成を示すブロック図である。
【図１３】本発明の第２の実施の形態に係る計量装置の搬送部を示す側面図である。
【図１４】本発明の第２の実施の形態に係る計量装置の秤量コンベアを示す斜視図である。
【図１５】本発明の第２の実施の形態に係る計量装置の秤量コンベアを示す側面図である。
【図１６】（ａ）〜（ｃ）は、本発明の第２の実施の形態に係る計量装置の秤量コンベアを示す側面図であり、（ｄ）は、枠部材を示す側面図である。
【図１７】（ａ）〜（ｃ）は、本発明の第２の実施の形態に係る計量装置の秤量コンベアを示す上面図であり、（ｄ）〜（ｆ）は、枠部材を示す上面図である。
【図１８】本発明の第２の実施の形態に係る計量装置の秤量コンベアのサイズと重量との対応を示す図である。
【図１９】本発明の第２の実施の形態に係る計量装置の動作を示すフロー図である。
【図２０】（ａ）〜（ｄ）は、本発明の第２の実施の形態に係る計量装置の計量皿を示す図である。
【発明を実施するための形態】
【００２１】
以下、本発明に係る計量装置の実施の形態について図面を参照して説明する。
（第１の実施の形態）
図１〜図１０は、本発明に係る計量装置の第１の実施の形態を示している。
【００２２】
図１〜図３に示すように、計量装置１は、装置本体部２と、搬送部３と、搬入センサ４と、識別部１９とを備えて構成され、後段に選別部５が接続されている。
【００２３】
計量装置１は、生産ラインの一部を構成するベルトコンベア１４の下流側に設置されており、所定の間隔で矢印Ａ方向に順次搬送されてくる被計量物Ｗの重量を測定するとともに、得られた測定値を予め設定された重量の上限および下限の基準値とそれぞれ比較し、得られた測定値が基準値の範囲内にあるか否かを判定し、範囲内のものを良品とし範囲外のものを不良品として判定するようになっている。また、判定結果は、表示部１０に表示されるとともに、計量装置１の後段に接続された選別部５に出力され、判定結果に応じて振り分けられるようになっている。
【００２４】
装置本体部２は、搬送制御部６と、荷重センサ２１と、制御部７と、表示部１０と、操作部１１と、これらの各部を収納する収納筐体２ａとにより構成されている。
【００２５】
搬送部３は、ベルトコンベア１４から矢印Ａ方向に搬送されてくる包装された肉、魚、加工食品、医薬品などの各種の被計量物Ｗを搬送するようになっている。被計量物Ｗは、助走コンベア３１により測定するのに最適な速度になるよう加速または減速されて搬送され、秤量コンベア３２によりさらに搬送され、搬送されている間に重量が荷重センサ２１により計量されるようになっている。また、被計量物Ｗは、計量の後にさらに後段の選別部５に搬送され、振り分けられるようになっている。
【００２６】
搬送部３は、助走コンベア３１および秤量コンベア３２により構成されている。助走コンベア３１は、２つのローラ３１ａ、３１ｃと、これらのローラに巻き付けられている無端状の搬送ベルト３１ｂとにより構成されている。また、秤量コンベア３２は、２つのローラ３２ａ、３２ｃとこれらのローラに巻き付けられている無端状の搬送ベルト３２ｂとにより構成されている。
【００２７】
秤量コンベア３２は、図２、図４に示すように、枠部材３４に収められており、枠部材３４に秤量コンベア３２が収まった状態でこれらの下方に配置された荷重センサ２１が荷重の計量を行うようになっている。
【００２８】
計量装置１においては、サイズの異なる複数種類の秤量コンベア３２の何れかが、その秤量コンベア３２を収納可能な枠部材３４に収められて用いられるようになっており、被計量物Ｗの品種の切替え時等に、切替え後の被計量物Ｗに応じた好適な秤量コンベア３２に交換してその被計量物Ｗの検査を行うことができるようになっている。
【００２９】
また、秤量コンベア３２は、幅が同じであれば長さが異なっていても共通の枠部材３４に収納できるようになっており、例えば、図６（ａ）、図６（ｂ）、図６（ｃ）に示すような長さのみが異なる３種類の秤量コンベア３２は、図６（ｄ）に示す共通の枠部材３４に収納できるようになっている。このため、秤量コンベア３２の長さと幅が特定されれば、その秤量コンベア３２とともに用いる枠部材３４が特定されることとなるため、その秤量コンベア３２の重量および秤量コンベア３２を収納可能な枠部材３４の重量の両方が特定されることとなる。また、秤量コンベア３２の重量および秤量コンベア３２を収納可能な枠部材３４の重量の両方が特定されれば、秤量コンベア３２の長さと幅が特定されることとなる。
【００３０】
搬入センサ４は、一対の投光部４ａおよび受光部４ｂからなる透過形光電センサで構成されており、助走コンベア３１と秤量コンベア３２との間に配置されている。具体的には、投光部４ａは、搬送ベルト３２ｂの装置本体部２側に配置され、受光部４ｂは、搬送ベルト３２ｂの他の側面側で投光部４ａに対向するように配置されており、被計量物Ｗが投光部４ａおよび受光部４ｂの間を通過すると被計量物Ｗにより受光部４ｂが遮光されるので被計量物Ｗの搬入が開始されたことが検出されるようになっている。検出された搬入開始の信号は、装置本体部２内の制御部７に出力されるようになっている。
【００３１】
搬送制御部６は、駆動モータ１２と、搬送制御回路１３とにより構成されており、駆動モータ１２は、搬送制御回路１３によりその回転速度（ｒｐｍ）が制御されるようになっている。
【００３２】
荷重センサ２１は、電磁平衡機構などのはかり機構で構成されており、被計量物Ｗが秤量コンベア３２で搬送されている間に、荷重センサ２１に加わる荷重、すなわち被計量物Ｗと秤量コンベア３２と枠部材３４との合計重量を測定するようになっている。荷重センサ２１は、重量を測定できるはかり機構であればよく、例えば、差動トランス機構や歪ゲージ機構などのはかり機構で構成してもよい。
【００３３】
荷重センサ２１は、搬入センサ４によって被計量物Ｗが秤量コンベア３２に搬入されたことが検知されてから予め設定された基準時間Ｔｋが経過したときに計量を行うようになっている。ここで、基準時間Ｔｋは、搬入センサ４で被計量物Ｗが秤量コンベア３２に搬入を開始したことを検出してから、被計量物Ｗが秤量コンベア３２に完全に乗り移り、さらに荷重センサ２１から出力された信号が安定するまでに必要な時間を意味し、秤量コンベアのサイズ、速度、および所定の被計量物Ｗの大きさに対応して予め設定されている。具体的には、基準時間Ｔｋは、秤量コンベア３２の速度（ｍ／ｍｉｎ）、秤量コンベア３２の矢印Ｂ方向の長さ（ｍｍ）および被計量物Ｗの搬送方向である矢印Ｂ方向の長さ（ｍｍ）、被計量物Ｗのサイズやラインの処理能力、その他の条件などに基づいて設定される。また、図３に示すように、基準時間Ｔｋが経過すると、被計量物Ｗは、搬入開始検出位置ＰＯからＬ１だけ移動して質量測定位置ＰＳに到達し、計量が行われる。
【００３４】
なお、荷重センサ２１においては、秤量コンベア３２のサイズや被計量物Ｗの品種（特に、サイズ）に応じて、その測定範囲、測定能力および検査精度などの検査条件（パラメータ）が選択されるようになっており、被計量物Ｗの品種に応じて、例えば、測定範囲が６ｇ〜６００ｇ、測定能力が最大１５０個／ｍｉｎで選択されるようになっている。この場合、被計量物Ｗの１個当たりの基準時間Ｔｋは、最小４００ｍｓｅｃに設定されていることになり、基準時間Ｔｋは４００ｍｓｅｃ以上であればよいが、被計量物Ｗのサイズ、ラインの処理能力、生産その他の条件により設定されるようになっている。基準時間Ｔｋは、４００ｍｓｅｃに近いほど短時間で測定されるので検査効率は高まり、遠くなるほど検査時間はかかるが、秤量コンベア３２上を安定して搬送されるようになるから計量精度は高まることになる。
【００３５】
また、被計量物Ｗの品種に応じて、例えば、測定範囲が１ｇ〜３００ｇ、測定能力が最大６００個／ｍｉｎで選択されるようになっている。測定能力が最大６００個／ｍｉｎであると、被計量物Ｗの１個当たりの測定時間は最小１００ｍｓｅｃに設定されていることになり、被計量物Ｗのサイズ、ラインの処理能力、生産やその他の条件により設定されるようになっている。この基準時間Ｔｋは、１００ｍｓｅｃに近いほど短時間で測定されるので検査効率は高まり、遠くなるほど検査時間はかかるが、秤量コンベア３２上を安定して搬送されるようになるから計量精度は高まる。
【００３６】
このように、荷重センサ２１においては、被計量物Ｗの品種に応じて、その範囲、能力などの検査条件（パラメータ）が選択されるが、秤量コンベア３２のサイズに応じても同様に検査条件が選択されるようになっている。
【００３７】
制御部７は、荷重センサ２１から出力された重量信号に基づいて被計量物Ｗの重量を算出する算出部２２と、被計量物Ｗの良否を判定する良否判定部２４と、種々の設定値（パラメータ）や測定結果および判定結果を記憶する記憶部２３とを有しており、搬送部３により搬送される被計量物Ｗの重量を測定し、測定した重量が所定値の範囲内にあるか否かを判定するようになっている。
【００３８】
算出部２２は、所定の演算回路で構成されており、算出部２２においては、荷重センサ２１から出力された被計量物Ｗと秤量コンベア３２と枠部材３４の３つの合計の重量信号が入力されると、３つの合計の重量信号から秤量コンベア３２と枠部材３４の２つの合計重量を減算することにより、被計量物Ｗのみの重量を算出し、被計量物Ｗの重量の信号を良否判定部２４に出力するようになっている。また、算出部２２においては、搬入センサ４によって被計量物Ｗが秤量コンベア３２に搬入されたことが検知されてから所定の基準時間Ｔｋが経過し、荷重センサ２１により重量が測定された被計量物Ｗに対して、被計量物Ｗ毎に重量算出を実行するようになっている。算出部２２により算出された個々の重量は、記憶部２３に算出データとして記憶されるようになっている。
【００３９】
記憶部２３は、記憶媒体などから構成されており、被計量物Ｗの品種に対応して予め設定した各種のデータを記憶するようになっている。記憶部２３には、例えば、助走コンベア３１または秤量コンベア３２の各ベルト速度（ｍ／ｍｉｎ）および搬送方向の長さ（ｍｍ）、被計量物Ｗの品種毎の大きさ（ｍｍ）と形状、被計量物Ｗの重量に対する許容範囲の上限値Ｇａと下限値Ｇｂ、秤量コンベア３２の搬出端から選別部５までの距離、被計量物Ｗの品種毎に設定された搬入間隔ｔ（ｍｓｅｃ）、設定された基準時間Ｔｋ、荷重センサ２１によって取得された個々の被計量物Ｗの搬入間隔ｔ（ｍｓｅｃ）および検査条件などの品質データなどが記憶されるようになっている。
【００４０】
また、記憶部２３には、サイズが異なる複数の秤量コンベア３２のそれぞれについて、秤量コンベア３２と枠部材３４の合計重量と、この合計重量と図６、図７に示す秤量コンベア３２の種類（長さおよび幅）との対応関係を、図８に示すような対応表として記憶されるようになっている。この対応表は、操作部１１からの設定操作または外部機器との接続により予め記憶されるようになっている。
【００４１】
図８に示す対応表においては、各秤量コンベア３２の種類（長さと幅）と重量との対応関係が、"Ｌ１  Ｗ１  Ｇ１"、"Ｌ１  Ｗ２  Ｇ２"、"Ｌ１  Ｗ３  Ｇ３"、"Ｌ２  Ｗ１  Ｇ４"、"Ｌ２  Ｗ２  Ｇ５"、"Ｌ２  Ｗ３  Ｇ６"、"Ｌ３  Ｗ１  Ｇ７"、"Ｌ３  Ｗ２  Ｇ８"、"Ｌ３  Ｗ３  Ｇ９"のように定められている。ここで、Ｌ１〜Ｌ３は、秤量コンベア３２の長さであり、Ｗ１〜Ｗ３は秤量コンベア３２の幅であり、Ｇ１１〜Ｇ３３は、秤量コンベア３２とその秤量コンベア３２に対応する枠部材３４との合計重量である。
【００４２】
良否判定部２４は、判定回路などから構成されており、被計量物Ｗの良否を判定するようになっている。良否判定部２４においては、算出部２２から出力された被計量物Ｗの重量信号を受けると、記憶部２３に予め記憶されている重量の上限値Ｇａおよび下限値Ｇｂが読み出され、算出した被計量物Ｗの重量と上限値Ｇａおよび下限値Ｇｂとがそれぞれ比較され、上限値Ｇａおよび下限値Ｇｂで決定される重量の許容範囲内に被計量物Ｗの重量が入っているか否かが判定されるようになっている。
【００４３】
良否判定部２４において判定された判定結果は、計量装置１の後段に接続された選別部５に出力され、被計量物Ｗが良品または不良品として選別されるようになっている。また、この判定結果は、表示部１０に出力され、良品または不良品として表示されるようになっており、さらに記憶部２３に出力され各被計量物Ｗについての判定結果が記憶されるようになっている。また、搬送制御部６にも出力され、通常時の搬送部３の駆動や、不良品が続出した場合のような異常時の搬送停止などの制御情報として使用されるようになっている。
【００４４】
また、計量装置１は、荷重センサ２１により計量された秤量コンベア３２の重量に基づいて秤量コンベア３２の種類を識別する識別部１９と、識別部１９の識別結果に基づいて秤量コンベア３２が異なる種類のものに交換されたことを検知する検知部１６とを備えている。
【００４５】
また、制御部７は、上記検知部１６と、計量装置１の動作モードを計量モードと設定モードとの間で切替える動作制御部１７とを有しており、秤量コンベア３２が交換されたことが検知部１６により検知されたときは、動作制御部１７により計量装置１の動作モードを計量モードから設定モードに切替えるようになっている。
【００４６】
識別部１９は、荷重センサ２１により計量された秤量コンベア３２の重量に基づいて秤量コンベア３２の種類を識別するようになっている。
【００４７】
検知部１６は、識別部１９の識別結果に基づいて、秤量コンベア３２の種類に変化があった場合は、秤量コンベア３２が交換されたことを示す交換検知信号を出力する。具体的には、検知部１６は、荷重センサ２１が計量した秤量コンベア３２の重量と、過去に荷重センサ２１が計量した秤量コンベア３２の重量との対比を行い、重量が変化していた場合、秤量コンベア３２が交換されたことを示す交換検知信号を出力するようになっている。
【００４８】
動作制御部１７は、検知部１６から交換検知信号が出力されたとき、計量装置１の動作モードを計量モードから設定モードに切替えるようになっている。ここで、計量モードとは、計量装置１が被計量物Ｗの計量、重量の算出および良否判定を行う通常の動作モードのことであり、設定モードとは、計量モードを実行するために必要なパラメータの設定変更を操作部１１によりユーザに行わせるための動作モードのことである。また、動作制御部１７は、動作モードを計量モードから設定モードに切替えるとともに、交換後の秤量コンベア３２のサイズおよび合計重量と、パラメータの設定変更を促すメッセージを表示部１０に表示させるようになっている。
【００４９】
さらに、識別部１９は、荷重センサ２１により計量された秤量コンベア３２の重量と、記憶部２３に記憶された対応表とに基づいて、秤量コンベア３２の種類を特定するようになっている。
【００５０】
また、制御部７は、少なくとも検知部１６から交換検知信号が出力された場合に、識別部１９が特定した秤量コンベア３２の種類が、記憶部２３に品種毎に記憶された秤量コンベア３２の種類と一致するかを照合する照合部１８を有している。
【００５１】
具体的には、記憶部２３には、計量を行う被計量物Ｗの品種、および使用すべき秤量コンベア３２の種類（寸法）が、品種番号に対応して予め設定記憶されており、例えば、品種Ａの被計量物Ｗを計量する場合には、ユーザによる操作部１１からの入力操作により品種Ａを表す品種番号が選択されて、合計重量Ｇ１１の秤量コンベア３２Ａ（図示せず）を用いて計量することが読み出され、次に、品種Ｂの被計量物Ｗを計量する場合には、入力操作により品種番号が品種Ｂを表す品種番号に変更されて、合計重量Ｇ１２の秤量コンベア３２Ｂ（図示せず）を用いて計量することが読み出される。
【００５２】
そして、照合部１８は、例えば、計量を行う被計量物Ｗの品種が品種Ａから品種Ｂに切替わったとき、ユーザにより入力操作された品種Ｂの品種番号に対応する秤量コンベア３２の種類として記憶部２３から読み出された秤量コンベア３２Ｂと、識別部１９により特定された秤量コンベア３２の種類とを照合して、予め設定された種類の秤量コンベア３２Ｂが載置されているか否かを表す照合結果を出力するようになっている。この照合結果は、表示部１０により表示されるようになっていて、秤量コンベア３２が被計量物Ｗの品種に対応した正しい種類の秤量コンベア３２Ｂに交換されたか否かがユーザに報知される。
【００５３】
また、検知部１６は、計量装置１の起動時（主電源が入れられたとき）、または計量モードにおいて計量動作（被計量物Ｗの搬送および計量）が一時停止から再開するとき、識別部１９が識別した秤量コンベア３２の種類と、計量装置１の主電源が切られた直後、または計量動作が一時停止になった直後に記憶しておいた前回の秤量コンベア３２の種類とを対比し、種類が一致するか否かを判定するようになっている。このため、検知部１６により、計量装置１の主電源が切られているとき、または計量動作の一時停止中に、秤量コンベア３２が交換されているか否かを判定することができる。また、計量装置１の主電源が切られる前後、または計量動作の一時停止の前後で秤量コンベア３２が交換されたために秤量コンベア３２の種類に変化があったと検知部１６が判定した場合は、変化があったことを示すメッセージを表示部１０が表示してユーザに報知を行うとともに、動作制御部１７が計量装置１の動作モードを設定モードに切替えるようになっている。
【００５４】
表示部１０は、図１に示すように、装置本体部２の搬送部３側の上端部に設けられ、液晶ディスプレイなどの表示デバイスで構成される。表示部１０は、計量装置１の動作モードが計量モードのときにおいては、計量装置１の動作状態、被計量物Ｗの計量値、良否判定結果を表示し、計量装置１の動作モードが設定モードのときにおいては、交換後の秤量コンベア３２のサイズおよび合計重量と、パラメータの設定変更を促すメッセージを表示するようになっている。
【００５５】
なお、表示部１０は、表示された数字、文字などがタッチ操作により入力されるタッチパネルとして構成し、操作部１１として使用してもよい。
【００５６】
計量装置１の後段に接続される選別部５は、選別機構部５ａおよび搬送ベルト５ｂにより構成されており、選別機構部５ａは、例えば、エアジェット機構などの選別機構により構成されている。選別機構部５ａは、良品と不良品とを選別できるものであればよく、フリッパ機構やドロップアウト機構などの選別機構で構成してもよい。このエアジェット機構においては、上流の秤量コンベア３２から搬送される被計量物Ｗが搬送ベルト５ｂで矢印Ｂ方向に搬送されている間に、不良品と判定された被計量物Ｗに対してジェットエアが吹き付けられるようになっており、不良の被計量物Ｗを搬送ベルト５ｂ上から移動させ、良品の被計量物Ｗと区別することにより選別を行っている。また、搬送ベルト５ｂは、ローラ５ｃおよびローラ５ｃに対向して配置されるローラ（不図示）と、これらのローラに巻き付けられている無端状の搬送ベルト５ｄとにより構成されており、測定を終了した被計量物Ｗを所定の速度で下流側に搬送するようになっている。
【００５７】
以下、秤量コンベア３２および枠部材３４について、図４〜図８を参照して詳細を説明する。
【００５８】
図４に示すように、秤量コンベア３２は、ローラ３２ａ、３２ｃを支持するフレーム部材３３を搬送ベルト３２ｂの内側に有しており、このフレーム部材３３には、６つの突起３３ａ、３３ｂ、３３ｃ、３３ｄ、３３ｅ、３３ｆが設けられている。
【００５９】
一方、図４、図５に示すように、枠部材３４は、上部が開口する箱形状に形成され、枠部材３４の上部には、６つの切欠き３４ａ、３４ｂ、３４ｃ、３４ｄ、３４ｅ、３４ｆが設けられている。これら６つの切欠き３４ａ、３４ｂ、３４ｃ、３４ｄ、３４ｅ、３４ｆには、フレーム部材３３の突起３３ａ、３３ｂ、３３ｃ、３３ｄ、３３ｅ、３３ｆがそれぞれ嵌合するようになっており、嵌合により枠部材３４上に秤量コンベア３２が位置決めされて収納されるようになっている。
【００６０】
また、図５に示すように、枠部材３４と秤量コンベア３２とは、固定具としてのキャッチクリップ３６により固定されるようになっている。キャッチクリップ３６は、突起３３ｂと切欠き３４ｂの嵌合部の近傍に設けられている。
【００６１】
秤量コンベア３２は、図６（ａ）に示す長さＬ１のものと、図６（ｂ）に示す長さＬ２のものと、図６（ｃ）に示す長さＬ３のものが用意されている。これらの長さが異なる秤量コンベア３２は、幅が同一であれば、図６（ｄ）に示す長さＬ４の共通の枠部材３４に収納させることができるようになっている。
【００６２】
また、秤量コンベア３２は、図７（ａ）に示す幅Ｗ１のものと、図７（ｂ）に示す幅Ｗ２のものと、図７（ｃ）に示す幅Ｗ３のものが用意され、枠部材３４は、図７（ｄ）に示す幅Ｗ１のものと、図７（ｅ）に示す幅Ｗ２のものと、図７（ｆ）に示す幅Ｗ３のものが用意されており、ある秤量コンベア３２はその秤量コンベア３２と同一の幅を枠部材３４にのみ収納されるようになっている。具体的には、図７（ａ）の幅Ｗ１の秤量コンベア３２が図７（ｄ）の幅Ｗ１の枠部材３４に収納され、図７（ｂ）の幅Ｗ２の秤量コンベア３２が図７（ｅ）の幅Ｗ２の枠部材３４に収納され、図７（ｃ）の幅Ｗ３の秤量コンベア３２が図７（ｆ）の幅Ｗ３の枠部材３４に収納されるようになっている。
【００６３】
このように、秤量コンベア３２の長さには、Ｌ１、Ｌ２、Ｌ３の３種類があり、秤量コンベア３２の幅には、Ｗ１、Ｗ２、Ｗ３の３種類があるため、これら３種類の長さと幅の組み合わせにより、図８に示すように、秤量コンベア３２は、長さと幅が異なる９種類が用意されている。図８の幅がＷ１の３種類の秤量コンベア３２（枠部材３４との合計重量がＧ１１、Ｇ２１、Ｇ３１の秤量コンベア３２）は、これらと同一の幅Ｗ１を有する図７（ｄ）に示す枠部材３４に収納でき、幅がＷ２の３種類の秤量コンベア３２（枠部材３４との合計重量がＧ１２、Ｇ２２、Ｇ３２の秤量コンベア３２）は、これらと同一の幅Ｗ２を有する図７（ｅ）に示す枠部材３４に収納でき、幅がＷ３の３種類の秤量コンベア３２（枠部材３４との合計重量がＧ１３、Ｇ２３、Ｇ３３の秤量コンベア３２）は、これらと同一の幅Ｗ３を有する図７（ｆ）に示す枠部材３４に収納できる。
【００６４】
次に、本実施の形態に係る計量装置１の動作を説明する。
【００６５】
まず、制御部７は、図９に示すように、秤量コンベア３２が交換されたか否かの比較を開始する条件を満たしているか否かを判定する（ステップＳ１）。この開始条件とは、計量装置１の起動時（主電源が入れられたとき）、または計量モードにおいて計量動作（被計量物Ｗの搬送および計量）が一時停止から再開するときの何れかの状態であるときに満たされる。すなわち、ステップＳ１〜ステップＳ６は、計量装置１の主電源が切られているとき、または計量動作の一時停止中に、秤量コンベア３２が交換されているか否かを判定し、交換されている場合と交換されていない場合のそれぞれに対する動作を定めるものである。
【００６６】
制御部７は、比較を開始する条件が満たされていた場合（ステップＳ１でＹｅｓ）は、検知部１６により、装着されている秤量コンベア３２の種類に変化が有ったか否かを判定する（ステップＳ２）。具体的には、識別部１９が、荷重センサ２１により計量された秤量コンベア３２と枠部材３４との合計重量に基づいて識別した識別結果と、計量装置１の主電源が切られる直前、または計量動作が一時停止された直後に記憶しておいた前回の識別結果とを対比し、両識別結果が変化しているときは、秤量コンベア３２の種類に変化が有ったと判定する。なお、識別部１９の識別結果が秤量コンベア３２の合計重量を表す重量データを含む場合には、２つの重量データが完全に一致していなくても、両重量データの差もしくは比が予め設定した所定値以上であるときに、秤量コンベア３２の種類が変化したと判定するようになっている。
【００６７】
ついで、制御部７は、秤量コンベア３２の種類に変化が有った場合（ステップＳ２でＹｅｓ）は、秤量コンベア３２の種類が変化したことを示すメッセージを秤量コンベア３２の変化後の種類とともに表示部１０に表示させることによりユーザに報知を行い（ステップＳ３）、動作モードを設定モードに切替える（ステップＳ４）。
【００６８】
一方、制御部７の検知部１６は、秤量コンベア３２の種類に変化が無かった場合（ステップＳ２でＮｏ）は、今回識別部１９により識別された変化後の秤量コンベア３２の種類を記憶する（ステップＳ５）。制御部７は、その後、計量動作を開始する（ステップＳ６）。
【００６９】
以上説明したように、本実施の形態に係る計量装置１では、被計量物Ｗが載置される秤量コンベア３２と、秤量コンベア３２を交換可能に支持し、秤量コンベア３２と枠部材３４の重量と被計量物Ｗの重量との合計重量を計量する荷重センサ２１と、荷重センサ２１が計量した合計荷重から秤量コンベア３２と枠部材３４の重量を減算して被計量物Ｗの重量を算出する算出部２２と、を備え、秤量コンベア３２の種類を識別する識別部１９と、識別部１９の識別結果に基づいて秤量コンベア３２が交換されたことを検知する検知部１６と、検知部１６による検知結果を報知する表示部１０と、を備えることを特徴としている。
【００７０】
このため、識別部１９により秤量コンベア３２の識別が可能となり、識別部１９の識別結果に基づいて検知部１６により秤量コンベア３２が交換されたことが検知され、この旨が表示部１０に表示されることとなるので、秤量コンベア３２が交換されたことを検知して表示部１０によりオペレータに通報でき、パラメータの変更を確実に行わせることができる。したがって、被計量物Ｗを載置する秤量コンベア３２を交換したときに、パラメータの設定変更忘れや誤設定を防止することができる。
【００７１】
また、本実施の形態に係る計量装置１では、識別部１９は、荷重センサ２１により計量された秤量コンベア３２の重量変化に基づいて秤量コンベア３２の種類を識別することを特徴としている。
【００７２】
このため、荷重センサ２１が計量した荷重の変化によって秤量コンベア３２が交換されたことを検知でき、新たな構成を追加することなく、確実に秤量コンベア３２が交換されたことを識別できる。
【００７３】
また、本実施の形態に係る計量装置１では、秤量コンベア３２の種類と重量とを対応付ける対応表を記憶する記憶部２３を備え、識別部１９は、この対応表を参照して、荷重センサ２１により計量された秤量コンベア３２の重量から秤量コンベア３２の種類を識別することを特徴としている。
【００７４】
このため、秤量コンベア３２自体の荷重を秤量コンベア３２の種類毎に予め対応表に記憶しておき、秤量コンベア３２が交換されたことに加えて交換後の秤量コンベア３２の種類をも識別できるので、装着されている秤量コンベア３２に対応させて適切なパラメータを自動で設定できるようになる。
【００７５】
また、本実施の形態に係る計量装置１では、秤量コンベア３２が交換されたことを検知部１６が検知したとき、被計量物Ｗの計量と重量の算出を行う計量モードから、交換された秤量コンベア３２を用いて計量モードを実行するために必要な設定の変更を行う設定モードに動作モードを切替える動作制御部１７を備えたことを特徴とする。
【００７６】
このため、秤量コンベア３２が交換されたときは、計量モードから設定モードに動作モードが切替わるので、交換後の秤量コンベア３２に適したパラメータに設定をし忘れることを防止することができる。
【００７７】
また、本実施の形態に係る計量装置１では、被計量物Ｗの複数の品種毎にこの品種の計量に用いる秤量コンベア３２の種類を対応付けて記憶する記憶部２３と、記憶部２３に記憶させる設定操作を行う操作部１１と、識別部１９が識別した識別結果が、記憶部２３に品種毎に記憶された秤量コンベア３２の種類と一致するかを照合する照合部１８と、を備えたことを特徴としている。
【００７８】
このため、被計量物Ｗの品種に応じて予め決められた秤量コンベア３２以外の誤った秤量コンベア３２を用いて検査を行ってしまうことを防止することができる。
【００７９】
なお、上述の実施の形態においては、秤量コンベア３２により被計量物Ｗを搬送しながら荷重センサ２１により計量を行うように計量装置１が構成されているが、図１０（ａ）に示すように、荷重センサ２１の上に計量皿５０を交換可能に載置し、図１０（ｂ）に示す小サイズの計量皿５０、図１０（ｃ）に示す中サイズの計量皿５０または図１０（ｄ）に示す大サイズの計量皿５０の何れかを荷重センサ２１の上に設け、秤量コンベア３２と同様に計量皿５０のサイズおよび重量を取り扱うように構成してもよい。この場合、計量皿５０に凸部５０ａを形成するとともに荷重センサ２１に凹部２１ａを形成して、凸部５０ａと凹部２１ａを嵌合させることにより、被計量物Ｗの品種等に応じて選択した計量皿５０を荷重センサ２１に対して位置決めおよび固定することができる。
（第２の実施の形態）
図１１〜図２０は、本発明に係る計量装置の第２の実施の形態を示している。なお、本実施の形態の計量装置は、秤量コンベア３２の重量変化に代えて、秤量コンベア３２に識別情報を設けることにより秤量コンベア３２が交換されたことの検知、および交換後の秤量コンベア３２の種類の識別を行うように構成したものであり、第１の実施の形態と同様の構成には同一の符号を付して説明を省略する。
【００８０】
図１１〜図１３に示すように、計量装置５１は、装置本体部２と、搬送部３と、搬入センサ４と、識別部１９とを備えて構成され、後段に選別部５が接続されている。また、識別部１９は読取部１５を備えている。
【００８１】
本実施の形態においても、図１４、図１５に示すように、サイズの異なる複数種類の秤量コンベア３２の何れかが、その秤量コンベア３２を収納可能な枠部材３４に収められて用いられるようになっており、被計量物Ｗの品種の切替え時等に、切替え後の被計量物Ｗに応じた好適な秤量コンベア３２に交換してその被計量物Ｗの検査を行うことができるようになっている。
【００８２】
また、秤量コンベア３２は、幅が同じであれば長さが異なっていても共通の枠部材３４に収納できるようになっており、例えば、図１６（ａ）、図１６（ｂ）、図１６（ｃ）に示すような長さのみが異なる３種類の秤量コンベア３２は、図１６（ｄ）に示す共通の枠部材３４に収納できるようになっている。このため、秤量コンベア３２の長さと幅が特定されれば、その秤量コンベア３２とともに用いる枠部材３４が特定されることとなるため、秤量コンベア３２の長さと幅が特定されれば、その秤量コンベア３２の重量および秤量コンベア３２を収納可能な枠部材３４の重量の両方が特定されることとなる。また、秤量コンベア３２の重量および秤量コンベア３２を収納可能な枠部材３４の重量の両方が特定されれば、秤量コンベア３２の長さと幅が特定されることとなる。
【００８３】
秤量コンベア３２の一方の側面には、バーコード３９が設けられており、バーコード３９の近傍には、秤量コンベア３２を識別するための識別部１９として、秤量コンベア３２のバーコード３９を読取る読取部１５が図示しない支持部材により装置本体部２に固定されている。バーコード３９には、サイズや重量の異なる秤量コンベア３２を識別する識別符号、秤量コンベア３２のサイズの値、または秤量コンベア３２のサイズと秤量コンベア３２および対応する枠部材３４の合計重量の両方の値が記録されている。例えば、バーコード３９には、図１８に示すように、長さと幅がそれぞれ異なる９種類の秤量コンベア３２を識別するために、"Ｄ１１"、"Ｄ１２"、"Ｄ１３"、"Ｄ２１"、"Ｄ２２"、"Ｄ２３"、"Ｄ３１"、"Ｄ３２"、"Ｄ３３"の９つのうち何れの識別符合が記録されているか、または、長さと幅のそれぞれの具体的な値を"Ｌ１  Ｗ１"、"Ｌ１  Ｗ２"、"Ｌ１  Ｗ３"、"Ｌ２  Ｗ１"、"Ｌ２  Ｗ２"、"Ｌ２  Ｗ３"、"Ｌ３  Ｗ１"、"Ｌ３  Ｗ２"、"Ｌ３  Ｗ３"と表して、これらのうち何れかが記録されている。ここで、例えば、長さＬ１は５００ｍｍとし、長さＬ２は７５０ｍｍとし、長さＬ１は１０００ｍｍとするとともに、幅Ｗ１は２００ｍｍとし、幅Ｗ２は３００ｍｍとし、幅Ｗ３は４００ｍｍとする。または、バーコード３９には、長さと幅と重量のそれぞれの具体的な値を"Ｌ１  Ｗ１  Ｇ１"、"Ｌ１  Ｗ２  Ｇ２"、"Ｌ１  Ｗ３  Ｇ３"、"Ｌ２  Ｗ１  Ｇ４"、"Ｌ２  Ｗ２  Ｇ５"、"Ｌ２  Ｗ３  Ｇ６"、"Ｌ３  Ｗ１  Ｇ７"、"Ｌ３  Ｗ２  Ｇ８"、"Ｌ３  Ｗ３  Ｇ９"と表して、これらのうち何れかが記録されている。
【００８４】
そして、秤量コンベア３２のサイズを識別符号で表す場合は、各識別符号に対応する具体的な秤量コンベア３２のサイズと秤量コンベア３２および対応する枠部材３４の合計重量の値を計量装置５１側の記憶部２３に記憶させておき、記憶部２３の情報を参照することにより、例えば、バーコード３９に記録されていた符号がＤ１１であったときは、そのバーコード３９を有する秤量コンベア３２のサイズと秤量コンベア３２および対応する枠部材３４の合計重量は、"Ｌ１  Ｗ１  Ｇ１"であると判別できるようになっている。
【００８５】
また、秤量コンベア３２のサイズを具体的な値としてバーコード３９に記録するようにした場合は、各秤量コンベア３２のサイズに対応する秤量コンベア３２と枠部材３４の合計重量の値を計量装置５１側の記憶部２３に記憶させておき、読取部１５によりバーコード３９を読取ることで直接的に秤量コンベア３２のサイズを取得した上で、記憶部２３の情報を参照することにより、その秤量コンベア３２と枠部材３４の合計重量を判定することができるようになっている。
【００８６】
また、秤量コンベア３２のサイズと秤量コンベア３２および枠部材３４の合計重量を具体的な値としてバーコード３９に記録するようにした場合は、読取部１５によりバーコード３９を読取ることで直接的に秤量コンベア３２のサイズと秤量コンベア３２および枠部材３４の合計重量を取得することができるようになっている。なお、秤量コンベア３２のサイズと枠部材３４との関係は、図１４〜図１８を参照して後述する。
【００８７】
制御部７は、荷重センサ２１から出力された重量信号に基づいて被計量物Ｗの重量を算出する算出部２２と、被計量物Ｗの良否を判定する良否判定部２４と、種々の設定値（パラメータ）や測定結果および判定結果を記憶する記憶部２３とを有しており、搬送部３により搬送される被計量物Ｗの重量を測定し、測定した重量が所定値の範囲内にあるか否かを判定するようになっている。
【００８８】
算出部２２は、所定の演算回路で構成されており、算出部２２においては、荷重センサ２１から出力された被計量物Ｗと秤量コンベア３２と枠部材３４の３つの合計の重量信号が入力されると、３つの合計の重量信号から秤量コンベア３２と枠部材３４の２つの合計重量を減算することにより、被計量物Ｗのみの重量を算出し、被計量物Ｗの重量の信号を良否判定部２４に出力するようになっている。また、算出部２２においては、搬入センサ４によって被計量物Ｗが秤量コンベア３２に搬入されたことが検知されてから所定の基準時間Ｔｋが経過し、荷重センサ２１により重量が測定された被計量物Ｗに対して、被計量物Ｗ毎に重量算出を実行するようになっている。算出部２２により算出された個々の重量は、記憶部２３に算出データとして記憶されるようになっている。
【００８９】
ここで、算出部２２が減算に用いる秤量コンベア３２と枠部材３４の２つの合計重量としては、秤量コンベア３２のバーコード３９に全ての値、すなわちサイズ（長さおよび幅）と、秤量コンベア３２と枠部材３４の合計重量を記録するようにしている場合は、読取部１５がバーコード３９から読取って取得した値を用いることができ、バーコード３９に識別符号またはサイズのみを記録するようにしている場合は、読取部１５が秤量コンベア３２のバーコード３９から読取って取得した識別符号またはサイズに基づいて、記憶部２３に予め記憶されている合計重量のうち対応するものを用いることができる。
【００９０】
記憶部２３は、記憶媒体などから構成されており、被計量物Ｗの品種に対応して予め設定した各種のデータを記憶するようになっている。記憶部２３には、例えば、助走コンベア３１または秤量コンベア３２の各ベルト速度（ｍ／ｍｉｎ）および搬送方向の長さ（ｍｍ）、被計量物Ｗの品種毎の大きさ（ｍｍ）と形状、被計量物Ｗの重量に対する許容範囲の上限値Ｇａと下限値Ｇｂ、秤量コンベア３２の搬出端から選別部５までの距離、被計量物Ｗの品種毎に設定された搬入間隔ｔ（ｍｓｅｃ）、設定された基準時間Ｔｋ、荷重センサ２１によって取得された個々の被計量物Ｗの搬入間隔ｔ（ｍｓｅｃ）および検査条件などの品質データなどが記憶されるようになっている。
【００９１】
また、記憶部２３には、サイズが異なる複数の秤量コンベア３２のそれぞれについて、秤量コンベア３２と枠部材３４の合計重量と、この合計重量と図１６、図１７に示す秤量コンベア３２の種類（長さおよび幅）との対応関係を、図１８に示すような対応表として記憶されるようになっている。この対応表は、操作部１１からの設定操作または外部機器との接続により予め記憶されるようになっている。
【００９２】
図１８に示す対応表においては、秤量コンベア３２のバーコード３９に記録された識別符号と記憶部２３に記憶された合計重量との対応関係か、または、秤量コンベア３２のバーコード３９に記録されたサイズ（長さおよび幅）と記憶部２３に記憶された合計重量との対応関係が定められている。
【００９３】
良否判定部２４は、判定回路などから構成されており、被計量物Ｗの良否を判定するようになっている。良否判定部２４においては、算出部２２から出力された被計量物Ｗの重量信号を受けると、記憶部２３に予め記憶されている重量の上限値Ｇａおよび下限値Ｇｂが読み出され、算出した被計量物Ｗの重量と上限値Ｇａおよび下限値Ｇｂとがそれぞれ比較され、上限値Ｇａおよび下限値Ｇｂで決定される重量の許容範囲内に被計量物Ｗの重量が入っているか否かが判定されるようになっている。
【００９４】
良否判定部２４において判定された判定結果は、計量装置５１の後段に接続された選別部５に出力され、被計量物Ｗが良品または不良品として選別されるようになっている。また、この判定結果は、表示部１０に出力され、良品または不良品として表示されるようになっており、さらに記憶部２３に出力され各被計量物Ｗについての判定結果が記憶されるようになっている。また、搬送制御部６にも出力され、通常時の搬送部３の駆動や、不良品が続出した場合のような異常時の搬送停止などの制御情報として使用されるようになっている。
【００９５】
また、制御部７は、読取部１５が読取った秤量コンベア３２のバーコード３９の情報に基づいて秤量コンベア３２の種類を識別する識別部１９と、識別部１９の識別結果に基づいて秤量コンベア３２が異なる種類のものに交換されたことを検知する検知部１６を備えている。
【００９６】
また、計量装置５１の動作モードを計量モードと設定モードとの間で切替える動作制御部１７とを有しており、秤量コンベア３２が交換されたことが検知部１６により検知されたときは、動作制御部１７により計量装置５１の動作モードを計量モードから設定モードに切替えるようになっている。
【００９７】
検知部１６は、識別部１９の識別結果に変化があった場合は、秤量コンベア３２が異なる種類のものに交換されたことを示す交換検知信号を出力するようになっている。具体的には、識別部１９は、バーコード３９の情報が秤量コンベア３２の長さ（Ｌ）、幅（Ｗ）や合計重量（Ｇ）といった寸法情報や識別情報といった識別符号であった場合、読取部１５が読取ったバーコード３９に含まれる識別符号を識別結果として出力する。検知部１６は、識別部１９の識別結果と、記憶しておいた前回の識別結果との対比を行い、識別結果が例えば、Ｄ１１からＤ１２に変化していた場合、秤量コンベア３２が異なる種類のものに交換されたことを示す交換検知信号を出力するようになっている。また、検知部１６は、バーコード３９に含まれるサイズ情報と、過去に読取部１５が読取って記憶部２３に記憶されたバーコード３９に含まれるサイズ情報との対比を行い、サイズ情報（Ｌ、Ｗ）が例えば"Ｌ１  Ｗ１"から"Ｌ１  Ｗ２"に変化したときに、秤量コンベア３２が異なるサイズのものに交換されたことを示す交換検知信号を出力するようになっている。また、検知部１６は、識別部１９の識別結果が秤量コンベア３２のサイズ情報と重量情報の両方を含む場合、識別部１９の識別結果に含まれるサイズ情報および重量情報（Ｇ）と、記憶しておいた前回のサイズ情報および重量情報との対比を行い、例えば"Ｌ１  Ｗ１  Ｇ１"から"Ｌ２  Ｗ２  Ｇ１"にサイズ情報のみが変化したときや、"Ｌ１  Ｗ１  Ｇ１"から"Ｌ１  Ｗ２  Ｇ２"にサイズ情報および重量情報がともに変化したときに、秤量コンベア３２が異なる種類のものに交換されたことを示す交換検知信号を出力するようになっている。すなわち、検知部１６は、記憶しておいた前回の識別結果と、識別部１９の識別結果とを対比して、対応する情報（Ｌ、Ｗ、Ｇ）のうち何れかが異なっているとき、秤量コンベア３２が異なる種類のものに交換されたことを示す交換検知信号を出力するようになっている。
【００９８】
動作制御部１７は、検知部１６から交換検知信号が出力されたとき、計量装置５１の動作モードを計量モードから設定モードに切替えるようになっている。ここで、計量モードとは、計量装置１が被計量物Ｗの計量、重量の算出および良否判定を行う通常の動作モードのことであり、設定モードとは、計量モードを実行するために必要なパラメータの設定変更を操作部１１によりユーザに行わせるための動作モードのことである。また、動作制御部１７は、動作モードを計量モードから設定モードに切替えるとともに、交換後の秤量コンベア３２のサイズおよび合計重量と、パラメータの設定変更を促すメッセージを表示部１０に表示させるようになっている。
【００９９】
さらに、識別部１９は、読取部１５により読取られた秤量コンベア３２のバーコード３９の情報と、記憶部２３に記憶された対応表とに基づいて、秤量コンベア３２の種類を特定するようになっている。
【０１００】
また、制御部７は、少なくとも検知部１６から交換検知信号が出力された場合に、識別部１９が特定した秤量コンベア３２の種類が、記憶部２３に品種毎に記憶された秤量コンベア３２の種類と一致するかを照合する照合部１８を有している。
【０１０１】
具体的には、記憶部２３には、計量を行う被計量物Ｗの品種を表す品種番号、および使用すべき秤量コンベア３２の種類（寸法）が、各品種番号に対応して予め設定記憶されており、例えば、品種Ａの被計量物Ｗを計量する場合には、ユーザによる操作部１１からの入力操作により品種Ａを表す品種番号が選択されて、識別符号Ｄ１１の秤量コンベア３２Ａ（図示せず）を用いて計量することが読み出され、次に、品種Ｂの被計量物Ｗを計量する場合には、入力操作により品種番号が品種Ｂを表す品種番号に変更されて、識別符号Ｄ１２の秤量コンベア３２Ｂ（図示せず）を用いて計量することが読み出される。
【０１０２】
そして、照合部１８は、例えば、計量を行う被計量物Ｗの品種が品種Ａから品種Ｂに切替わったとき、ユーザにより入力操作された品種Ｂの品種番号に対応する秤量コンベア３２の種類として読み出された秤量コンベア３２Ｂと、識別部１９により特定された秤量コンベア３２の種類とを照合して、予め設定された種類の秤量コンベア３２Ｂが載置されているか否かを表す照合結果を出力するようになっている。この照合結果は、表示部１０により表示されるようになっていて、秤量コンベア３２が被計量物Ｗの品種に対応した正しい種類の秤量コンベア３２Ｂに交換されたか否かがユーザに報知される。
【０１０３】
また、照合部１８は、検知部１６から交換検知信号が出力された場合に、識別部１９の識別結果が、記憶部２３に予め記憶されている秤量コンベア３２の情報と一致するか否かを照合するようになっている。
【０１０４】
具体的には、記憶部２３には、計量を行う被計量物Ｗの品種、複数種類の秤量コンベア３２の識別符号、サイズ、重量（対応する枠部材３４との合計重量）といった情報が品種番号に対応付けて予め設定記憶されており、例えば、品種Ａの被計量物Ｗを計量する場合には、ユーザによる操作部１１からの入力操作により品種Ａを表す品種番号が選択されて、識別符号Ｄ１１の秤量コンベア３２Ａ（図示せず）を用いて計量することが読み出され、次に、品種Ｂの被計量物Ｗを計量する場合には、入力操作により品種番号が品種Ｂを表す品種番号に変更されて、識別符号Ｄ１２の秤量コンベア３２Ｂ（図示せず）を用いて計量することが読み出される。
【０１０５】
そして、照合部１８は、例えば、計量を行う被計量物Ｗの品種が品種Ａから品種Ｂに切替わったとき、ユーザにより入力操作された品種Ｂの品種番号に対応する秤量コンベア３２の種類として記憶部２３から読み出された秤量コンベア３２Ｂと、識別部１９により特定された秤量コンベア３２の種類とを照合して、予め設定された種類の秤量コンベア３２Ｂが載置されているか否かを照合するようになっている。さらに、例えば、照合部１８は、読取部１５により取得したバーコード３９の情報に基づいて識別部１９によって識別された識別符号Ｄ１１が秤量コンベア３２の合計重量を含む場合、記憶部２３に記憶された情報を参照して識別符号Ｄ１１に対応する重量（秤量コンベア３２と枠部材３４との合計重量）がＷ１１であると特定し、荷重センサ２１が計量する荷重がＷ１１と一致するか否かを照合することにより、バーコード３９から取得した情報と実際の秤量コンベア３２との整合性を確認するようにしてもよい。
【０１０６】
また、検知部１６は、計量装置５１の起動時（主電源が入れられたとき）、または計量モードにおいて計量動作（被計量物Ｗの搬送および計量）が一時停止から再開するとき、読取部１５により取得したバーコード３９の情報（例えば、識別符号）と、計量装置５１の主電源が切られた直後、または計量動作が一時停止した直後に、記憶しておいた前回の識別結果とを対比し、情報が一致するか否かを判定するようになっている。このため、検知部１６により、計量装置５１の主電源が切られているとき、または計量動作の一時停止中に、秤量コンベア３２が交換されているか否かを判定することができる。また、計量装置５１の主電源が切られる前後、または計量動作の一時停止の前後で秤量コンベア３２が交換されたためにバーコード３９の情報に変化があったと検知部１６が判定した場合は、変化があったことを示すメッセージを表示部１０が表示してユーザに報知を行うとともに、動作制御部１７が計量装置５１の動作モードを設定モードに切替えるようになっている。
【０１０７】
以下、秤量コンベア３２および枠部材３４について、図１４〜図１８を参照して詳細を説明する。
【０１０８】
図１４に示すように、秤量コンベア３２は、ローラ３２ａ、３２ｃを支持するフレーム部材３３を搬送ベルト３２ｂの内側に有しており、このフレーム部材３３には、６つの突起３３ａ、３３ｂ、３３ｃ、３３ｄ、３３ｅ、３３ｆが設けられている。
【０１０９】
一方、図１４、図１５に示すように、枠部材３４は、上部が開口する箱形状に形成され、枠部材３４の上部には、６つの切欠き３４ａ、３４ｂ、３４ｃ、３４ｄ、３４ｅ、３４ｆが設けられている。これら６つの切欠き３４ａ、３４ｂ、３４ｃ、３４ｄ、３４ｅ、３４ｆには、フレーム部材３３の突起３３ａ、３３ｂ、３３ｃ、３３ｄ、３３ｅ、３３ｆがそれぞれ嵌合するようになっており、嵌合により枠部材３４上に秤量コンベア３２が位置決めされて収納されるようになっている。
【０１１０】
また、図１５に示すように、枠部材３４と秤量コンベア３２とは、固定具としてのキャッチクリップ３６により固定されるようになっている。キャッチクリップ３６は、突起３３ｂと切欠き３４ｂの嵌合部の近傍に設けられている。
【０１１１】
また、フレーム部材３３の６つの突起３３ａ、３３ｂ、３３ｃ、３３ｄ、３３ｅ、３３ｆのうち、突起３３ｂには、図１５に示すように、前述したバーコード３９が設けられており、秤量コンベア３２を枠部材３４に収納した状態でバーコード３９が枠部材３４により遮蔽されることがないようになっている。このため、バーコード３９を露出させるために枠部材３４に新たに切欠きを設ける必要がなく、枠部材３４の強度を維持することができる。
【０１１２】
本実施の形態では、秤量コンベア３２は、図１６（ａ）に示す長さＬ１のものと、図１６（ｂ）に示す長さＬ２のものと、図１６（ｃ）に示す長さＬ３のものが用意されている。これらの長さが異なる秤量コンベア３２は、幅が同一であれば、図１６（ｄ）に示す長さＬ４の共通の枠部材３４に収納させることができるようになっている。
【０１１３】
また、秤量コンベア３２は、図１７（ａ）に示す幅Ｗ１のものと、図１７（ｂ）に示す幅Ｗ２のものと、図１７（ｃ）に示す幅Ｗ３のものが用意され、枠部材３４は、図１７（ｄ）に示す幅Ｗ１のものと、図１７（ｅ）に示す幅Ｗ２のものと、図１７（ｆ）に示す幅Ｗ３のものが用意されており、ある秤量コンベア３２はその秤量コンベア３２と同一の幅を枠部材３４にのみ収納されるようになっている。具体的には、図１７（ａ）の幅Ｗ１の秤量コンベア３２が図１７（ｄ）の幅Ｗ１の枠部材３４に収納され、図１７（ｂ）の幅Ｗ２の秤量コンベア３２が図１７（ｅ）の幅Ｗ２の枠部材３４に収納され、図１７（ｃ）の幅Ｗ３の秤量コンベア３２が図１７（ｆ）の幅Ｗ３の枠部材３４に収納されるようになっている。
【０１１４】
このように、本実施の形態においても、秤量コンベア３２の長さには、Ｌ１、Ｌ２、Ｌ３の３種類があり、秤量コンベア３２の幅には、Ｗ１、Ｗ２、Ｗ３の３種類があるため、これら３種類の長さと幅の組み合わせにより、図１８に示すように、秤量コンベア３２は、長さと幅が異なる９種類が用意されている。図１８の幅がＷ１の３種類の秤量コンベア３２（識別符号がＤ１１、Ｄ２１、Ｄ３１の秤量コンベア３２）は、これらと同一の幅Ｗ１を有する図１７（ｄ）に示す枠部材３４に収納でき、幅がＷ２の３種類の秤量コンベア３２（識別符号がＤ１２、Ｄ２２、Ｄ３２の秤量コンベア３２）は、これらと同一の幅Ｗ２を有する図１７（ｅ）に示す枠部材３４に収納でき、幅がＷ３の３種類の秤量コンベア３２（識別符号がＤ１３、Ｄ２３、Ｄ３３の秤量コンベア３２）は、これらと同一の幅Ｗ３を有する図１７（ｆ）に示す枠部材３４に収納できる。
【０１１５】
次に、本実施の形態に係る計量装置５１の動作を説明する。
【０１１６】
まず、制御部７は、図１９に示すように、秤量コンベア３２が交換されたか否かの比較を開始する条件を満たしているか否かを判定する（ステップＳ１１）。この開始条件とは、計量装置５１の起動時（主電源が入れられたとき）、または計量モードにおいて計量動作（被計量物Ｗの搬送および計量）が一時停止から再開するときの何れかの状態であるときに満たされる。すなわち、ステップＳ１１〜ステップＳ１６は、計量装置５１の主電源が切られているとき、または計量動作の一時停止中に、秤量コンベア３２が交換されているか否かを判定し、交換されている場合と交換されていない場合のそれぞれに対する動作を定めるものである。
【０１１７】
制御部７は、比較を開始する条件が満たされていた場合（ステップＳ１１でＹｅｓ）は、検知部１６により、装着されている秤量コンベア３２の種類に変化があったか否かを判定する（ステップＳ１２）。具体的には、識別部１９が読取部１５で読取ったバーコード３９の情報（秤量コンベア３２の識別符号、サイズや重量、またはこれらの組み合わせ）に基づいて識別した識別結果と、計量装置５１の主電源が切られる直前、または計量動作が一時停止された直後に記憶しておいた前回の識別結果とを対比し、両識別結果が変化しているときは、秤量コンベア３２の種類に変化があったと判定する。なお、識別部１９の識別結果が秤量コンベア３２の合計重量を表す重量データを含む場合には、２つの重量データが完全に一致していなくても、両重量データの差もしくは比が予め設定した所定値以上であるときに、秤量コンベア３２の種類が変化したと判定するようになっている。
【０１１８】
ついで、制御部７は、秤量コンベア３２の種類に変化が有った場合（ステップＳ１２でＹｅｓ）は、秤量コンベア３２の種類が変化したことを示すメッセージを変化後の秤量コンベア３２の種類とともに表示部１０に表示させることによりユーザに報知を行い（ステップＳ１３）、動作モードを設定モードに切替える（ステップＳ１４）。
【０１１９】
一方、制御部７の検知部１６は、秤量コンベア３２の種類に変化が無かった場合（ステップＳ１２でＮｏ）は、今回識別部１９により識別された変化後の秤量コンベア３２の種類を記憶する（ステップＳ１５）。制御部７は、その後、計量動作を開始する（ステップＳ１６）。
【０１２０】
以上説明したように、本実施の形態に係る計量装置５１では、秤量コンベア３２は、秤量コンベア３２を識別するための識別情報が記録されたバーコード３９を備え、識別部１９は、バーコード３９を読取る読取部１５を備えたことを特徴としている。
【０１２１】
このため、バーコード３９を読取って秤量コンベア３２の種類を識別することにより、秤量コンベア３２が交換されたこと、および交換後のコンベアの種類をより確実に識別することができる。
【０１２２】
なお、上述の実施の形態においては、秤量コンベア３２により被計量物Ｗを搬送しながら荷重センサ２１により計量を行うように計量装置５１が構成されているが、図２０（ａ）に示すように、荷重センサ２１の上にバーコード３９が設けられた計量皿５０を交換可能に載置し、図２０（ｂ）に示す小サイズの計量皿５０、図２０（ｃ）に示す中サイズの計量皿５０または図２０（ｄ）に示す大サイズの計量皿５０の何れかを荷重センサ２１の上に設け、バーコード３９を読取部１５により読取り、秤量コンベア３２と同様に計量皿５０のサイズおよび重量を取り扱うように構成してもよい。この場合、計量皿５０に凸部５０ａを形成するとともに荷重センサ２１に凹部２１ａを形成して、凸部５０ａと凹部２１ａを嵌合させることにより、被計量物Ｗの品種等に応じて選択した計量皿５０を荷重センサ２１に対して位置決めおよび固定することができる。
【産業上の利用可能性】
【０１２３】
以上のように、本発明に係る計量装置は、被計量物を載置する載置部を交換したときに、パラメータの設定変更忘れや誤設定を防止することができるという効果を有し、被計量物を載置する載置部が交換可能な計量装置として有用である。
【符号の説明】
【０１２４】
１、５１  計量装置
２  装置本体部
２ａ  収納筐体
３、搬送部
４  搬入センサ
４ａ  投光部
４ｂ  受光部
５  選別部
５ａ  選別機構部
５ｂ、３１ｂ、３２ｂ  搬送ベルト
５ｃ、３１ａ、３１ｃ、３２ａ、３２ｃ  ローラ
６  搬送制御部
７  制御部
１０  表示部（報知部）
１１  操作部
１２  駆動モータ
１３  搬送制御回路
１４  ベルトコンベア
１５  読取部
１６  検知部
１７  動作制御部
１８  照合部
１９  識別部
２１  荷重センサ（計量部）
２１ａ  凹部
２２  算出部
２３  記憶部
２４  良否判定部
３１  助走コンベア
３２  秤量コンベア（載置部）
３３  フレーム部材
３４  枠部材（載置部）
３９  バーコード（識別情報）
５０  計量皿
５０ａ  凸部
Ｗ  被計量物
【図１】
2010237019.tif 000003
【図２】
2010237019.tif 000004
【図３】
2010237019.tif 000005
【図４】
2010237019.tif 000006
【図５】
2010237019.tif 000007
【図６】
2010237019.tif 000008
【図７】
2010237019.tif 000009
【図８】
2010237019.tif 000010
【図９】
2010237019.tif 000011
【図１０】
2010237019.tif 000012
【図１１】
2010237019.tif 000013
【図１２】
2010237019.tif 000014
【図１３】
2010237019.tif 000015
【図１４】
2010237019.tif 000016
【図１５】
2010237019.tif 000017
【図１６】
2010237019.tif 000018
【図１７】
2010237019.tif 000019
【図１８】
2010237019.tif 000020
【図１９】
2010237019.tif 000021
【図２０】
2010237019.tif 000022